(57)【要約】【課題】凝縮水の排水性に優れたエバポレータを提供する。【解決手段】エバポレータは、前後方向に間隔をおいて配置され、かつ上下方向に伸びる複数の熱交換管12を備えている。前後に隣り合う熱交換管12どうしの間に、上下方向に伸びる排水促進部材30を配置する。前後に隣り合う２つの熱交換管12と、両熱交換管12間に配置された排水促進部材30との間に隙間70を存在させ、この隙間70を排水路60とする。【選択図】図８
2006207994.tif 000002
【特許請求の範囲】
【請求項１】
前後方向に間隔をおいて配置され、かつ上下方向に伸びる複数の熱交換管を備えたエバポレータであって、
前後に隣り合う熱交換管どうしの間に、上下方向に伸びる排水促進部材が配置され、前後の熱交換管と排水促進部材との間に排水路が形成されているエバポレータ。
【請求項２】
前後に隣り合う２つの熱交換管のうち少なくともいずれか一方と、両熱交換管間に配置された排水促進部材との間に隙間が存在しており、この隙間が排水路となっている請求項１記載のエバポレータ。
【請求項３】
前後に隣り合う２つの熱交換管のうち少なくともいずれか一方と、両熱交換管間に配置された排水促進部材とが接触しており、排水促進部材と、これと接触している熱交換管との間に、熱交換管の左右両側面の延長面から左右方向内方に凹みかつ上下方向に伸びる凹所が形成され、この凹所が排水路となっている請求項１記載のエバポレータ。
【請求項４】
熱交換管が偏平状であるとともにその幅方向を前後方向に向けて配置されている請求項１〜３のうちのいずれかに記載のエバポレータ。
【請求項５】
排水促進部材の左右両側面のうち少なくともいずれか一方に、上下方向に伸びる排水溝が形成されている請求項１〜４のうちのいずれかに記載のエバポレータ。
【請求項６】
熱交換管が偏平状であるとともにその幅方向を前後方向に向けて配置され、排水促進部材の左右方向の厚みが、熱交換管の左右方向の厚みと等しくなっている請求項１記載のエバポレータ。
【請求項７】
前後に隣り合う２つの熱交換管のうち少なくともいずれか一方と、両熱交換管間に配置された排水促進部材との間に隙間が存在し、この隙間が排水路となっており、熱交換管および排水促進部材の左右方向の厚みをｈ（mm）、排水路の前後方向の幅をｗ（mm）とした場合、０＜ｗ／ｈ≦１／４の関係を満たす請求項６記載のエバポレータ。
【請求項８】
前後に隣り合う２つの熱交換管のうち少なくともいずれか一方と、両熱交換管間に配置された排水促進部材とが接触しており、排水促進部材と、これと接触している熱交換管との間に、熱交換管の左右両側面の延長面から左右方向内方に凹みかつ上下方向に伸びる凹所が形成され、この凹所が排水路となっており、排水路断面積をＳ（mm２）、熱交換管および排水促進部材の左右方向の厚みをｈ（mm）とした場合、０．０５≦Ｓ／ｈ≦１．５の関係を満たす請求項６記載のエバポレータ。
【請求項９】
前後の熱交換管における排水促進部材側の端壁外面および排水促進部材の前後両面の水平断面形状が、それぞれ円弧状となっている請求項６〜８のうちのいずれかに記載のエバポレータ。
【請求項１０】
前後の熱交換管における排水促進部材側の端壁外面および排水促進部材の前後両面のうちいずれか一方の水平断面形状が円弧状であり、同他方が熱交換管の左右両側面と直角をなす平坦面である請求項６〜８のうちのいずれかに記載のエバポレータ。
【請求項１１】
前後の熱交換管における排水促進部材側の端壁外面および排水促進部材の前後両面のうちいずれか一方の水平断面形状が円弧状であり、同他方の水平断面形状がＶ形である請求項６〜８のうちのいずれかに記載のエバポレータ。
【請求項１２】
前後の熱交換管における排水促進部材側の端壁外面および排水促進部材の前後両面の水平断面形状が、それぞれＶ形である請求項６〜８のうちのいずれかに記載のエバポレータ。
【請求項１３】
前後の熱交換管における排水促進部材側の端壁外面および排水促進部材の前後両面のうちいずれか一方の水平断面形状がＶ形であり、同他方が熱交換管の左右両側面と直角をなす平坦面である請求項６〜８のうちのいずれかに記載のエバポレータ。
【請求項１４】
前後に隣り合う２つの熱交換管のうち少なくともいずれか一方と、両熱交換管間に配置された排水促進部材との間に隙間が存在し、この隙間が排水路となっており、熱交換管および排水促進部材の左右方向の厚みをｈ（mm）、排水路の前後方向の幅をｗ（mm）とした場合、０＜ｗ／ｈ≦１／４の関係を満たし、排水路に臨む熱交換管の端壁外面および排水路に臨む排水促進部材の外面が、それぞれ熱交換管の左右両側面と直角をなす平坦面である請求項６記載のエバポレータ。
【請求項１５】
排水促進部材の左右両側面のうち少なくともいずれか一方に、上下方向に伸びる排水溝が形成されている請求項６〜１４のうちのいずれかに記載のエバポレータ。
【請求項１６】
左右方向に間隔をおいて配置された複数の熱交換管からなる熱交換管群が、前後方向に間隔をおいて複数列配置されることにより構成された熱交換コア部と、熱交換管の一端側に配置され、かつ少なくとも１列の熱交換管群の熱交換管が接続された第１ヘッダと、熱交換管の一端側において第１ヘッダの後側に配置され、かつ残りの熱交換管群の熱交換管が接続された第２ヘッダと、熱交換管の他端側に配置され、かつ第１ヘッダに接続されている熱交換管が接続された第３ヘッダと、熱交換管の他端側に配置され、かつ第２ヘッダに接続されている熱交換管群の熱交換管が接続された第４ヘッダとを備えており、前後に隣り合う熱交換管どうしの間に、上下方向に伸びる排水促進部材が配置されている請求項１〜１５のうちのいずれかに記載のエバポレータ。
【請求項１７】
第１ヘッダと第２ヘッダとが一体化されている請求項１６記載のエバポレータ。
【請求項１８】
第１ヘッダと第２ヘッダとが、両ヘッダの熱交換管側の部分を形成しかつ熱交換管が接続された第１部材と、両ヘッダにおける熱交換管とは反対側の部分を形成しかつ第１部材にろう付された第２部材とを備えており、これにより両ヘッダが一体化されている請求項１７記載のエバポレータ。
【請求項１９】
第３ヘッダと第４ヘッダとが一体化されている請求項１６〜１８のうちのいずれかに記載のエバポレータ。
【請求項２０】
第３ヘッダと第４ヘッダとが、両ヘッダの熱交換管側の部分を形成しかつ熱交換管が接続された第１部材と、両ヘッダにおける熱交換管とは反対側の部分を形成しかつ第１部材にろう付された第２部材とを備えており、これにより両ヘッダが一体化されている請求項１９記載のエバポレータ。
【請求項２１】
第１ヘッダが、冷媒入口を有する冷媒入口ヘッダであり、第２ヘッダが、冷媒出口を有する冷媒出口ヘッダであり、第３ヘッダが、冷媒が冷媒入口ヘッダから熱交換管を通って流入する冷媒流入ヘッダであり、第４ヘッダが、冷媒が熱交換管を通って冷媒出口ヘッダに流出する冷媒流出ヘッダであり、第３ヘッダと第４ヘッダとが連通させられている請求項１６〜２０のうちのいずれかに記載のエバポレータ。
【請求項２２】
圧縮機、コンデンサおよびエバポレータを備えており、かつフロン系冷媒を用いる冷凍サイクルであって、エバポレータが、請求項１〜２１のうちのいずれかに記載のエバポレータからなる冷凍サイクル。
【請求項２３】
圧縮機、ガスクーラ、エバポレータ、減圧器、およびガスクーラから出てきた冷媒とエバポレータから出てきた冷媒とを熱交換させる中間熱交換器を備えており、かつ超臨界冷媒を用いる冷凍サイクルであって、エバポレータが、請求項１〜２１のうちのいずれかに記載のエバポレータからなる超臨界冷凍サイクル。
【請求項２４】
請求項２２または２３記載の冷凍サイクルが、カーエアコンとして搭載されている車両。
【発明の詳細な説明】
【技術分野】
【０００１】
この発明は、たとえば自動車に搭載される冷凍サイクルであるカーエアコンに組み込まれるエバポレータに関する。
【０００２】
この明細書および特許請求の範囲において、通風方向下流側（図１および図１０に矢印Ｘで示す側、図４右側）を前、これと反対側を後といい、図２の上下、左右を上下、左右というものとする。
【背景技術】
【０００３】
従来、カーエアコン用エバポレータとして、１対の皿状プレートを対向させて周縁部どうしをろう付してなる複数の偏平中空体が並列状に配置され、隣接する偏平中空体間にコルゲートフィンが配置されて偏平中空体にろう付された、所謂積層型エバポレータが広く使用されていた。
【０００４】
ところで、近年、エバポレータのさらなる小型軽量化および高性能化が要求されるようになってきた。そして、このような要求を満たすエバポレータとして、間隔をおいて配置された複数の偏平状熱交換管からなる熱交換管群が通風方向に並んで２列配置されるとともに、左右方向に隣り合う熱交換管どうしの間にコルゲートフィンが配置されることにより構成された熱交換コア部と、熱交換管の一端側に配置され、かつ１列の熱交換管群の熱交換管が接続された第１ヘッダと、熱交換管の一端側において第１ヘッダの後側に配置され、かつ１列の熱交換管群の熱交換管が接続された第２ヘッダと、熱交換管の他端側に配置され、かつ第１ヘッダに接続されている熱交換管が接続された第３ヘッダと、熱交換管の他端側に配置され、かつ第２ヘッダに接続されている熱交換管群の熱交換管が接続された第４ヘッダとを備えており、第１ヘッダの一端に冷媒入口が形成されるとともに、第２ヘッダにおける冷媒入口と同一端に冷媒出口が形成され、第１および第２ヘッダ内がその長さ方向の中間部で仕切板により区画され、冷媒入口から第１ヘッダ内に流入した冷媒が、すべての熱交換管およびすべてのヘッダを通過して冷媒出口から流出するようになっているエバポレータが知られている（特許文献１参照）。
【０００５】
ところで、特許文献１記載のエバポレータにおいては、上述した積層型エバポレータに比べて小型軽量化および高性能化が図られているため、コルゲートフィンの表面に発生する凝縮水量が多くなる。しかしながら、特許文献１記載のエバポレータによれば、凝縮水が多くなった場合の排水性が十分ではない。
【特許文献１】特開２００３−２１４７９４号公報
【発明の開示】
【発明が解決しようとする課題】
【０００６】
この発明の目的は、上記問題を解決し、凝縮水の排水性に優れたエバポレータを提供することにある。
【課題を解決するための手段】
【０００７】
本発明は、上記課題を解決するために以下の態様からなる。
【０００８】
1)前後方向に間隔をおいて配置され、かつ上下方向に伸びる複数の熱交換管を備えたエバポレータであって、
前後に隣り合う熱交換管どうしの間に、上下方向に伸びる排水促進部材が配置され、前後の熱交換管と排水促進部材との間に排水路が形成されているエバポレータ。
【０００９】
2)前後に隣り合う２つの熱交換管のうち少なくともいずれか一方と、両熱交換管間に配置された排水促進部材との間に隙間が存在しており、この隙間が排水路となっている上記1)記載のエバポレータ。
【００１０】
3)前後に隣り合う２つの熱交換管のうち少なくともいずれか一方と、両熱交換管間に配置された排水促進部材とが接触しており、排水促進部材と、これと接触している熱交換管との間に、熱交換管の左右両側面の延長面から左右方向内方に凹みかつ上下方向に伸びる凹所が形成され、この凹所が排水路となっている上記1)記載のエバポレータ。
【００１１】
4)熱交換管が偏平状であるとともにその幅方向を前後方向に向けて配置されている上記1)〜3)のうちのいずれかに記載のエバポレータ。
【００１２】
5)排水促進部材の左右両側面のうち少なくともいずれか一方に、上下方向に伸びる排水溝が形成されている上記1)〜4)のうちのいずれかに記載のエバポレータ。
【００１３】
6)熱交換管が偏平状であるとともにその幅方向を前後方向に向けて配置され、排水促進部材の左右方向の厚みが、熱交換管の左右方向の厚みと等しくなっている上記1)記載のエバポレータ。
【００１４】
7)前後に隣り合う２つの熱交換管のうち少なくともいずれか一方と、両熱交換管間に配置された排水促進部材との間に隙間が存在し、この隙間が排水路となっており、熱交換管および排水促進部材の左右方向の厚みをｈ（mm）、上記隙間の前後方向の幅をｗ（mm）とした場合、０＜ｗ／ｈ≦１／４の関係を満たす上記6)記載のエバポレータ。
【００１５】
8)前後に隣り合う２つの熱交換管のうち少なくともいずれか一方と、両熱交換管間に配置された排水促進部材とが接触しており、排水促進部材と、これと接触している熱交換管との間に、熱交換管の左右両側面の延長面から左右方向内方に凹みかつ上下方向に伸びる凹所が形成され、この凹所が排水路となっており、排水路断面積をＳ（mm２）、熱交換管および排水促進部材の左右方向の厚みをｈ（mm）とした場合、０．０５≦Ｓ／ｈ≦１．５の関係を満たす上記6)記載のエバポレータ。
【００１６】
9)前後の熱交換管における排水促進部材側の端壁外面および排水促進部材の前後両面の水平断面形状が、それぞれ円弧状となっている上記6)〜8)のうちのいずれかに記載のエバポレータ。
【００１７】
10)前後の熱交換管における排水促進部材側の端壁外面および排水促進部材の前後両面のうちいずれか一方の水平断面形状が円弧状であり、同他方が熱交換管の左右両側面と直角をなす平坦面である上記6)〜8)のうちのいずれかに記載のエバポレータ。
【００１８】
11)前後の熱交換管における排水促進部材側の端壁外面および排水促進部材の前後両面のうちいずれか一方の水平断面形状が円弧状であり、同他方の水平断面形状がＶ形である上記6)〜8)のうちのいずれかに記載のエバポレータ。
【００１９】
12)前後の熱交換管における排水促進部材側の端壁外面および排水促進部材の前後両面の水平断面形状が、それぞれＶ形である上記6)〜8)のうちのいずれかに記載のエバポレータ。
【００２０】
13)前後の熱交換管における排水促進部材側の端壁外面および排水促進部材の前後両面のうちいずれか一方の水平断面形状がＶ形であり、同他方が熱交換管の左右両側面と直角をなす平坦面である上記6)〜8)のうちのいずれかに記載のエバポレータ。
【００２１】
14)前後に隣り合う２つの熱交換管のうち少なくともいずれか一方と、両熱交換管間に配置された排水促進部材との間に隙間が存在し、この隙間が排水路となっており、熱交換管および排水促進部材の左右方向の厚みをｈ（mm）、排水路の前後方向の幅をｗ（mm）とした場合、０＜ｗ／ｈ≦１／４の関係を満たし、排水路に臨む熱交換管の端壁外面および排水路に臨む排水促進部材の外面が、それぞれ熱交換管の左右両側面と直角をなす平坦面である上記6)記載のエバポレータ。
【００２２】
15)排水促進部材の左右両側面のうち少なくともいずれか一方に、上下方向に伸びる排水溝が形成されている上記6)〜14)のうちのいずれかに記載のエバポレータ。
【００２３】
16)左右方向に間隔をおいて配置された複数の熱交換管からなる熱交換管群が、前後方向に間隔をおいて複数列配置されることにより構成された熱交換コア部と、熱交換管の一端側に配置され、かつ少なくとも１列の熱交換管群の熱交換管が接続された第１ヘッダと、熱交換管の一端側において第１ヘッダの後側に配置され、かつ残りの熱交換管群の熱交換管が接続された第２ヘッダと、熱交換管の他端側に配置され、かつ第１ヘッダに接続されている熱交換管が接続された第３ヘッダと、熱交換管の他端側に配置され、かつ第２ヘッダに接続されている熱交換管群の熱交換管が接続された第４ヘッダとを備えており、前後に隣り合う熱交換管どうしの間に、上下方向に伸びる排水促進部材が配置されている上記1)〜15)のうちのいずれかに記載のエバポレータ。
【００２４】
17)第１ヘッダと第２ヘッダとが一体化されている上記16)記載のエバポレータ。
【００２５】
18)第１ヘッダと第２ヘッダとが、両ヘッダの熱交換管側の部分を形成しかつ熱交換管が接続された第１部材と、両ヘッダにおける熱交換管とは反対側の部分を形成しかつ第１部材にろう付された第２部材とを備えており、これにより両ヘッダが一体化されている上記17)記載のエバポレータ。
【００２６】
19)第３ヘッダと第４ヘッダとが一体化されている上記16)〜18)のうちのいずれかに記載のエバポレータ。
【００２７】
20)第３ヘッダと第４ヘッダとが、両ヘッダの熱交換管側の部分を形成しかつ熱交換管が接続された第１部材と、両ヘッダにおける熱交換管とは反対側の部分を形成しかつ第１部材にろう付された第２部材とを備えており、これにより両ヘッダが一体化されている上記19)記載のエバポレータ。
【００２８】
21)第１ヘッダが、冷媒入口を有する冷媒入口ヘッダであり、第２ヘッダが、冷媒出口を有する冷媒出口ヘッダであり、第３ヘッダが、冷媒が冷媒入口ヘッダから熱交換管を通って流入する冷媒流入ヘッダであり、第４ヘッダが、冷媒が熱交換管を通って冷媒出口ヘッダに流出する冷媒流出ヘッダであり、第３ヘッダと第４ヘッダとが連通させられている上記16)〜20)のうちのいずれかに記載のエバポレータ。
【００２９】
22)圧縮機、コンデンサおよびエバポレータを備えており、かつフロン系冷媒を用いる冷凍サイクルであって、エバポレータが、上記1)〜21)のうちのいずれかに記載のエバポレータからなる冷凍サイクル。
【００３０】
23)圧縮機、ガスクーラ、エバポレータ、減圧器、およびガスクーラから出てきた冷媒とエバポレータから出てきた冷媒とを熱交換させる中間熱交換器を備えており、かつ超臨界冷媒を用いる冷凍サイクルであって、エバポレータが、上記1)〜21)のうちのいずれかに記載のエバポレータからなる超臨界冷凍サイクル。
【００３１】
24)上記22)または23)記載の冷凍サイクルが、カーエアコンとして搭載されている車両。
【発明の効果】
【００３２】
上記1)〜4)のエバポレータにおいては、前後方向に間隔をおいて配置された複数の熱交換管が、左右方向に間隔をおいて並べられ、左右方向に隣り合う熱交換管どうしの間にフィンが配置されて熱交換管に接合される。このエバポレータによれば、フィンの表面に発生した凝縮水は、キャピラリ効果により熱交換管とフィンとの接合部側に引き寄せられ、後側の熱交換管とフィンとの接合部に引き寄せられた凝縮水は、左右方向に隣り合う熱交換管どうしの間の通風間隙を流れる風により前側に流れるとともに、キャピラリ効果により排水促進部材側に引き寄せられ、熱交換管と排水促進部材との間の排水路内に入る。そして、前後に隣り合う熱交換管どうしの間隔を、特許文献１記載のエバポレータと同じにした場合、前後の熱交換管と排水促進部材との間に形成される排水路の排水路断面積は比較的小さくなるので、凝縮水はキャピラリ効果により排水路内に溜まることなく排水路を通って下方に排水される。したがって、エバポレータの排水性が向上する。しかも、凝縮水の排水性が向上するので、排水路内においての凝縮水の凍結を抑制することが可能になり、エバポレータの冷却性能の低下を防止することができる。
【００３３】
上記5)のエバポレータによれば、風の影響およびキャピラリ効果により排水促進部材側に流れた凝縮水は、排水促進部材の排水溝に沿っても下方に排水されることになり、排水性が向上する。
【００３４】
上記7)および9)〜13)のエバポレータによれば、熱交換管と排水促進部材との間の隙間からなる排水路内に入った凝縮水は、効率良く排水路を通って下方に排水される。したがって、凝縮水の排水性が向上する。
【００３５】
上記8)および9)〜13)のエバポレータによれば、熱交換管と排水促進部材との間に形成された凹所からなる排水路内に入った凝縮水は、効率良く排水路を通って下方に排水される。
【００３６】
上記14)のエバポレータによれば、熱交換管と排水促進部材との間の隙間からなる排水路内に入った凝縮水は、効率良く排水路を通って下方に排水される。したがって、凝縮水の排水性が向上する。
【００３７】
上記15)のエバポレータによれば、風の影響およびキャピラリ効果により排水促進部材側に流れた凝縮水は、排水促進部材の排水溝に沿っても下方に排水されることになり、排水性が向上する。
【発明を実施するための最良の形態】
【００３８】
以下、この発明の実施形態を、図面を参照して説明する。
【００３９】
なお、以下の説明において、「アルミニウム」という用語には、純アルミニウムの他にアルミニウム合金を含むものとする。
【００４０】
実施形態１
この実施形態は図１〜図１０に示すものである。
【００４１】
図１および図２はエバポレータの全体構成を示し、図３〜図９は要部の構成を示す。また、図１０はエバポレータにおける冷媒の流れ方を示す。
【００４２】
図１および図２において、フロン系冷媒を使用するカーエアコンに用いられるエバポレータ(1)は、上下方向に間隔をおいて配置されたアルミニウム製冷媒入出用タンク(2)およびアルミニウム製冷媒ターン用タンク(3)と、両タンク(2)(3)間に設けられた熱交換コア部(4)とを備えている。
【００４３】
冷媒入出用タンク(2)は、前側（通風方向下流側）に位置する冷媒入口ヘッダ(5)（第１ヘッダ）と、後側（通風方向上流側）に位置する冷媒出口ヘッダ(6)（第２ヘッダ）とを備えており、後述する連結手段により相互に連結一体化されている。冷媒入出用タンク(2)の冷媒入口ヘッダ(5)にアルミニウム製冷媒入口管(7)が接続され、同じく冷媒出口ヘッダ(6)にアルミニウム製冷媒出口管(8)が接続されている。
【００４４】
冷媒ターン用タンク(3)は、前側に位置する冷媒流入ヘッダ(9)（第３ヘッダ）と、後側に位置する冷媒流出ヘッダ(11)（第４ヘッダ）とを備えており、両ヘッダ(9)(11)が連結部(10)により相互に連結一体化され、両ヘッダ(9)(11)と連結部(10)とにより排水樋(20)が形成されている（図４参照）。
【００４５】
熱交換コア部(4)は、左右方向に間隔をおいて並列状に配置された複数の熱交換管(12)からなる熱交換管群(13)が、前後方向に並んで複数列、ここでは２列配置され、各熱交換管群(13)の隣接する熱交換管(12)どうしの間の通風間隙、および各熱交換管群(13)の左右両端の熱交換管(12)の外側にそれぞれコルゲートフィン(14)が配置されて熱交換管(12)にろう付されることにより構成されている。前後に隣り合う熱交換管(12)の間には、上下方向に伸びるアルミニウム製排水促進部材(30)が配置され、コルゲートフィン(14)にろう付されている。左右両端のコルゲートフィン(14)の外側にはそれぞれアルミニウム製サイドプレート(15)が配置されてコルゲートフィン(14)にろう付されている。そして、前側熱交換管群(13)の熱交換管(12)の上下両端は冷媒入口ヘッダ(5)および冷媒流入ヘッダ(9)に接続され、往き側冷媒流通部となっている。後側熱交換管群(13)の熱交換管(12)の上下両端部は冷媒出口ヘッダ(6)および冷媒流出ヘッダ(11)に接続され、戻り側冷媒流通部となっている。
【００４６】
図３に示すように、冷媒入出用タンク(2)は、両面にろう材層を有するアルミニウムブレージングシートから形成されかつすべての熱交換管(12)が接続されたプレート状の第１部材(16)と、アルミニウム押出形材から形成されたベア材よりなりかつ第１部材(16)の上側を覆う第２部材(17)と、両面にろう材層を有するアルミニウムブレージングシートから形成されかつ両部材(16)(17)の両端に接合されて左右両端開口を閉鎖するアルミニウム製キャップ(18)(19)とよりなり、右側キャップ(19)の外面に、冷媒入口ヘッダ(5)および冷媒出口ヘッダ(6)に跨るように、前後方向に長いアルミニウム製のジョイントプレート(21)がろう付されている。ジョイントプレート(21)に、冷媒入口管(7)および冷媒出口管(8)が接続されている。
【００４７】
第１部材(16)は、その前後両側部分に、それぞれ中央部が下方に突出した曲率の小さい横断面円弧状の湾曲部(22)を有している。各湾曲部(22)に、前後方向に長い複数の管挿通穴(23)が、左右方向に間隔をおいて形成されている。前後両湾曲部(22)の管挿通穴(23)は、それぞれ左右方向に関して同一位置にある。前側湾曲部(22)の前縁および後側湾曲部(22)の後縁に、それぞれ立ち上がり壁(22a)が全長にわたって一体に形成されている。また、第１部材(16)の両湾曲部(22)間に、冷媒入口ヘッダ(5)と冷媒出口ヘッダ(6)とを連結する手段を構成する平坦部(24)が形成され、平坦部(24)に、複数の貫通穴(25)が左右方向に間隔をおいて形成されている。
【００４８】
第２部材(17)は下方に開口した横断面略ｍ字状であり、左右方向に伸びる前後両壁(26)と、前後両壁(26)間の中央部に設けられかつ左右方向に伸びるとともに、冷媒入出用タンク(2)内を前後２つの空間に仕切る仕切手段としての仕切壁(27)と、前後両壁(26)および仕切壁(27)の上端どうしをそれぞれ一体に連結する上方に突出した２つの略円弧状連結壁(28)とを備えている。なお、仕切壁(27)は、冷媒入口ヘッダ(5)と冷媒出口ヘッダ(6)とを連結する手段を構成している。第２部材(17)の後壁(26)の下端部と仕切壁(27)の下端部とは、冷媒出口ヘッダ(6)内を上下２つの空間(6a)(6b)に区画する区画手段としての分流用抵抗板(29)により全長にわたって一体に連結されている。分流用抵抗板(29)の後側部分における左右両端部を除いた部分には、左右方向に長い複数の冷媒通過穴(31A)(31B)が左右方向に間隔をおいて貫通状に形成されている。仕切壁(27)の下端は前後両壁(26)の下端よりも下方に突出しており、その下縁に、下方に突出しかつ第１部材(16)の貫通穴(25)に嵌め入れられる複数の突起(27a)が左右方向に間隔をおいて一体に形成されている。突起(27a)は、仕切壁(27)の所定部分を切除することにより形成されている。
【００４９】
右側キャップ(19)の前側には、冷媒入口ヘッダ(5)内に嵌め入れられる左方突出部(32)が一体に形成され、同じく後側には、冷媒出口ヘッダ(6)の分流用抵抗板(29)よりも上側の空間(6a)内に嵌め入れられる上側左方突出部(33)と、分流用抵抗板(29)よりも下側の空間(6b)内に嵌め入れられる下側左方突出部(34)とが上下に間隔をおいて一体に形成されている。また、右側キャップ(19)の前後両側縁と上縁との間の円弧状部に、それぞれ左方に突出した係合爪(35)が一体に形成され、同じく下縁の前側部分および後側部分に、それぞれ左方に突出した係合爪(36)が一体に形成されている。右側キャップ(19)の前側の左方突出部(32)の底壁に冷媒入口(37)が形成され、同じく後側の上側左方突出部(33)の底壁に冷媒出口(38)が形成されている。左側キャップ(18)は右側キャップ(19)と左右対称形であり、冷媒入口ヘッダ(5)内に嵌め入れられる右方突出部(39)、冷媒出口ヘッダ(6)の分流用抵抗板(29)よりも上側の空間(6a)内に嵌め入れられる上側右方突出部(41)、分流用抵抗板(29)よりも下側の空間(6b)内に嵌め入れられる下側右方突出部(42)、および右方に突出した上下の係合爪(43)(44)が一体に形成されている。右方突出部(39)および上側右方突出部(41)の底壁には開口は形成されていない。両キャップ(18)(19)の上縁は、それぞれ冷媒入出用タンク(2)の第２部材(17)上面の両端と合致するように、２つの略円弧状部が前後方向の中央部において一体に連なったような形状となっている。また、両キャップ(18)(19)の下縁は、曲率の小さい２つの略円弧状部が前後方向の中央部において平坦部を介して一体に連なったような形状となっている。
【００５０】
そして、第１部材(16)の前側湾曲部(22)および平坦部(24)と、第２部材(17)の前壁(26)、仕切壁(27)および前側連結壁(28)と、左右のキャップ(18)(19)の前側部分とにより、冷媒入口ヘッダ(5)が形成され、第１部材(16)の後側湾曲部(22)および平坦部(24)と、第２部材(17)の後壁(26)、仕切壁(27)および後側連結壁(28)と、左右のキャップ(18)(19)の後側部分とにより、冷媒出口ヘッダ(6)が形成されている。冷媒入口ヘッダ(5)と冷媒出口ヘッダ(6)とは平坦部(24)および仕切壁(27)により連結一体化されている。
【００５１】
ジョイントプレート(21)は、右側キャップ(19)の冷媒入口(37)に通じる短円筒状冷媒流入口(45)と、同じく冷媒出口(38)に通じる短円筒状冷媒流出口(46)とを備えている。ジョイントプレート(21)の上下両縁部における冷媒流入口(45)と冷媒流出口(46)との間の部分には、それぞれ左方に突出した屈曲部(47)が形成されている。上側の屈曲部(47)は、右側キャップ(19)の上縁における２つの略円弧状部の間、および第２部材(17)の２つの連結壁(28)間に係合している。下側の屈曲部(47)は、右側キャップ(19)の下縁における２つの略円弧状部の間に形成された上記平坦部、および第１部材(16)の平坦部(24)に係合している。さらに、ジョイントプレート(21)の下縁の前後両端部には、それぞれ左方に突出した係合爪(48)が一体に形成されている。係合爪(48)は、右側キャップ(19)の下縁に係合している。ジョイントプレート(21)の冷媒流入口(45)に、冷媒入口管(7)の一端部に形成された縮径部が差し込まれてろう付され、同じく冷媒流出口(46)に、冷媒出口管(8)の一端部に形成された縮径部が差し込まれてろう付されている。図示は省略したが、冷媒入口管(7)および冷媒出口管(8)の他端部には、両管(7)(8)に跨るように膨張弁取付部材が接合されている。
【００５２】
冷媒入出用タンク(2)の第１および第２部材(16)(17)と、両キャップ(18)(19)と、ジョイントプレート(21)とは次のようにしてろう付されている。すなわち、第１および第２部材(16)(17)は、第２部材(17)の突起(27a)が第１部材(16)の貫通穴(25)に挿通されてかしめられることにより、第１部材(16)の前後の立ち上がり壁(22a)の上端部が第２部材(17)の前後両壁(26)の下端部に係合させられた状態で、第１部材(16)のろう材層を利用して相互にろう付されている。両キャップ(18)(19)は、前側の突出部(39)(32)が両部材(16)(17)における仕切壁(27)よりも前側の空間内に、後側の上突出部(41)(33)が両部材(16)(17)における仕切壁(27)よりも後側でかつ分流用抵抗板(29)よりも上側の空間内に、および後側の下突出部(42)(34)が仕切壁(17)よりも後側でかつ分流用抵抗板(29)よりも下側の空間内にそれぞれ嵌め入れられ、上側の係合爪(43)(35)が第２部材(17)の連結壁(28)に係合させられ、下側の係合爪(44)(36)が第１部材(16)の湾曲部(22)に係合させられた状態で、両キャップ(18)(19)のろう材層を利用して第１および第２部材(17)(17)にろう付されている。ジョイントプレート(21)は、屈曲部(47)が右側キャップ(19)および第２部材(17)に係合させられ、係合爪(48)が右側キャップ(19)に係合させられた状態で、右側キャップ(19)のろう材層を利用して右側キャップ(19)にろう付されている。
【００５３】
こうして、冷媒入出用タンク(2)が形成されており、冷媒出口ヘッダ(6)は分流用抵抗板(29)により上下両空間(6a)(6b)に区画され、これらの空間(6a)(6b)は冷媒通過穴(31A)(31B)により連通させられている。右側キャップ(19)の冷媒出口(38)は冷媒出口ヘッダ(6)の上部空間(6a)内に通じている。
【００５４】
図４〜図６に示すように、冷媒ターン用タンク(3)は、両面にろう材層を有するアルミニウムブレージングシートから形成されかつすべての熱交換管(12)が接続されたプレート状の第１部材(50)と、アルミニウム押出形材から形成されたベア材よりなりかつ第１部材(50)の下側を覆う第２部材(51)と、両面にろう材層を有するアルミニウムブレージングシートから形成されかつ両端開口を閉鎖するアルミニウム製キャップ(52)(53)と、連結部(10)に接合された左右方向に長いアルミニウムベア材製排水補助プレート(54)と、右側キャップ(52)の外面に、冷媒流入ヘッダ(9)および冷媒流出ヘッダ(11)に跨るようにろう付された前後方向に長いアルミニウムベア材製の連通部材(55)とよりなり、連通部材(55)を介して冷媒流入ヘッダ(9)と冷媒流出ヘッダ(11)とが右端部で連通させられている。
【００５５】
冷媒流入ヘッダ(9)および冷媒流出ヘッダ(11)はそれぞれ頂面、前後両側面および底面を有している。両ヘッダ(9)(11)の頂面は前後方向内側部分および外側部分を除いて水平な平坦面(9a)(11a)となっており、頂面の前後方向内側部分には前後方向内側に向かって下方に直線状に傾斜した傾斜面からなる第１の低位部(9b)(11b)が形成されている。そして、第１の低位部(9b)(11b)が排水樋(20)の前後両側面となっており、排水樋(20)の前後両側面が上方に向かって前後方向外側に広がっている。第１の低位部(9b)(11b)の水平面に対する下向き傾斜角度は４５度以上であることが好ましい。なお、排水樋(20)の前後両側面、すなわち両ヘッダ(9)(11)の第１の低位部(9b)(11b)は、上方に向かって前後方向外側に広がっておれば、直線状に傾斜したものに限らず、湾曲していてもよい。また、両ヘッダ(9)(11)の頂面の前後方向外側部分には、水平面に対し、前後方向外側に向かって下方に直線状に傾斜した傾斜面からなる第２の低位部(9c)(11c)が形成されている。第２の低位部(9c)(11c)の水平面に対する下向き傾斜角度は４５度以上であることが好ましい。両ヘッダ(9)(11)の前後方向外側面は頂面の第２の低位部(9c)(11c)に連なっている。
【００５６】
第１部材(50)は、冷媒流入ヘッダ(9)の上部を形成する第１ヘッダ形成部(56)と、冷媒流出ヘッダ(11)の上部を形成する第２ヘッダ形成部(57)と、両ヘッダ形成部(56)(57)を連結しかつ連結部(10)を形成する連結壁(58)とよりなる。第１ヘッダ形成部(56)は、水平平坦状頂壁(56a)と、頂壁(56a)の後縁に全長にわたって一体に形成されかつ後方に向かって下方に傾斜した第１の傾斜壁(56b)と、頂壁(56a)の前縁に全長にわたって一体に形成されかつ前方に向かって下方に傾斜した第２の傾斜壁(56c)と、第２の傾斜壁(56c)の前縁に全長にわたって一体に形成された垂下壁(56d)とよりなる。第２ヘッダ形成部(57)は、水平平坦状頂壁(57a)と、頂壁(57a)の前縁に全長にわたって一体に形成されかつ前方に向かって下方に傾斜した第１の傾斜壁(57b)と、頂壁(57a)の後縁に全長にわたって一体に形成されかつ後方に向かって下方に傾斜した第２の傾斜壁(57c)と、第２の傾斜壁(57c)の後縁に全長にわたって一体に形成された垂下壁(57d)とよりなる。第１ヘッダ形成部(56)の第１の傾斜壁(56b)の下縁と第２ヘッダ形成部(57)の第１の傾斜壁(57b)の下縁とが連結壁(58)により一体に連結されている。両ヘッダ形成部(56)(57)の垂下壁(56d)(57d)の下端面は前後方向内方に向かって下方に傾斜しており、この下端面の外側部分により後述する段差部(69)が形成されるようになっている。そして、第１ヘッダ形成部(56)の頂壁(56a)上面が冷媒流入ヘッダ(9)の頂面の水平平坦面(9a)を形成し、両傾斜壁(56b)(56c)外面が両低位部(9b)(9c)を形成し、垂下壁(56c)外面が前側面の上側部分を形成している。また、第２ヘッダ形成部(57)の頂壁(57a)上面が冷媒流出ヘッダ(11)の頂面の水平平坦面(11a)を形成し、両傾斜壁(57b)(57c)外面が両低位部(11b)(11c)を形成し、垂下壁(57d)外面が後側面の上側部分を形成している。
【００５７】
第１部材(50)の両ヘッダ形成部(56)(57)に、それぞれ前後方向に長い複数の管挿通穴(59)が左右方向に間隔をおいて形成されている。両ヘッダ形成部(56)(57)の管挿通穴(59)は左右方向に関して同一位置にある。管挿通穴(59)の連結部(10)側端部、すなわち第１ヘッダ形成部(56)の管挿通穴(59)の後端部および第２ヘッダ形成部(57)の管挿通穴(59)の前端部はそれぞれ第１の傾斜壁(56b)(57b)に位置しており、これにより管挿通穴(59)の連結部(10)側端部が排水樋(20)の側面に位置している。また、管挿通穴(59)の前後方向外端部、すなわち第１ヘッダ形成部(56)の管挿通穴(59)の前端部および第２ヘッダ形成部(57)の管挿通穴(59)の後端部はそれぞれ第２の傾斜壁(56c)(57c)に位置しており、これにより管挿通穴(59)の前後方向外端部は両ヘッダ(9)(11)の頂面の第２の低位部(9c)(11c)に位置している。
【００５８】
第１部材(50)の両ヘッダ形成部(56)(57)の頂壁(56a)(57a)および両傾斜壁(56b)(56c)(57b)(57c)における管挿通穴(59)の左右両側部分は、管挿通穴(59)に向かって下方に傾斜した傾斜部(61)となっており、各管挿通穴(59)の左右両側の傾斜部(61)により凹所(62)が形成されている。第１部材(50)の両ヘッダ形成部(56)(57)の第２の傾斜壁(56c)(57c)および垂下壁(56d)(57d)の外面に、凝縮水を冷媒ターン用タンク(3)下方に排水する排水溝(63)が、管挿通穴(59)の前後方向外端部に連なって形成されている。排水溝(63)の溝底は、管挿通穴(59)から遠ざかるにつれて徐々に下方に向かっている。排水溝(63)における第２の傾斜壁(56c)(57c)、すなわち第２の低位部(9c)(11c)に存在する部分の溝底は、水平面に対し、前後方向外側に向かって下方に直線状に傾斜している。排水溝(63)における第２の低位部(9c)(11c)に存在する部分の溝底の水平面に対する下向き傾斜角度は４５度以上であることが好ましい。排水溝(63)における垂下壁(56d)(57d)に存在する部分の下端は、垂下壁(56d)(57d)の下端面に開口している。
【００５９】
第１部材(50)の連結壁(58)に、左右方向に長い複数の排水用貫通穴(64)が左右方向に間隔をおいて形成されている。また、第１部材(50)の連結壁(58)に、複数の固定用貫通穴(65)が、排水用貫通穴(64)からずれた位置に来るように左右方向に間隔をおいて形成されている。
【００６０】
第２部材(51)は、冷媒流入ヘッダ(9)の下部を形成する第１ヘッダ形成部(66)と、冷媒流出ヘッダ(11)の下部を形成する第２ヘッダ形成部(67)と、両ヘッダ形成部(66)(67)を連結しかつ第１部材(50)の連結壁(58)にろう付されて連結部(10)を形成する連結壁(68)とよりなる。第１ヘッダ形成部(66)は、垂直状の前後両壁(66a)と、前後両壁(66a)の下端どうしを一体に連結する下方に突出した横断面略円弧状底壁(66b)とよりなる。第２ヘッダ形成部(67)は、垂直状の前後両壁(67a)と、前後両壁(67a)の下端どうしを一体に連結する下方に突出した横断面略円弧状底壁(67b)と、前後両壁(67a)の上端部どうしを一体に連結する水平な分流制御壁(67c)とよりなる。第１ヘッダ形成部(66)の後壁(66a)の上端部と第２ヘッダ形成部(67)の前壁(67a)の上端部とが連結壁(68)により一体に連結されている。第１ヘッダ形成部(66)の前壁(66a)外面および第２ヘッダ形成部(67)の後壁(67a)外面は、それぞれ第１部材(50)の第１ヘッダ形成部(56)の垂下壁(56d)外面および第２ヘッダ形成部(57)の垂下壁(57d)外面よりも前後方向内側に位置しており、これにより第１部材(50)の垂下壁(56d)(57d)と第２部材(51)の前後壁(66a)(67a)との接合部に段差部(69)が設けられるとともに、垂下壁(56d)(57d)外面が段差部(69)を介して前壁(66a)および後壁(67a)の外面に対して前後方向外側に位置し、排水溝(63)の下端全体が段差部(69)に開口している（図４参照）。また、第１ヘッダ形成部(66)の前壁(66a)の上縁部外面および第２ヘッダ形成部(67)の後壁(67a)の上縁部外面は、排水溝(63)における垂下壁(56d)(57d)に存在する部分の底面と面一となっている。そして、第１ヘッダ形成部(66)の前壁(66a)外面が冷媒流入ヘッダ(9)の前側面の下側部分を形成し、第２ヘッダ形成部(67)の後壁(67a)外面が冷媒流出ヘッダ(11)の後側面の下側部分を形成している。
【００６１】
第２部材(51)の第２ヘッダ形成部(67)の分流制御壁(67c)における前後方向の中心部よりも後側の部分には、複数の円形冷媒通過穴(71)が左右方向に間隔をおいて貫通状に形成されている。隣り合う円形冷媒通過穴(71)間の間隔は、左端部から遠ざかるにつれて徐々に大きくなっている。なお、隣り合う円形冷媒通過穴(71)間の間隔は、すべて等しくなっていてもよい。第２部材(51)の連結壁(68)における第１部材(50)の排水用貫通穴(64)と合致した位置にそれぞれ左右方向に長い排水用貫通穴(72)が形成され、同じく第１部材(50)の固定用貫通穴(65)と合致した位置にそれぞれ固定用貫通穴(73)が形成されている。
【００６２】
排水補助プレート(54)における第１および第２部材(50)(51)の排水用貫通穴(64)(72)と対応する部分に、その上縁から切り欠き(74)が形成されている。切り欠き(74)の開放部の左右方向の幅は排水用貫通穴(64)(72)の左右方向の長さと等しくなっている。排水補助プレート(54)の前後両面に、それぞれ切り欠き(74)の下端部に連なるように上下方向に伸びかつ下端部が排水補助プレート(54)の下端面に開口した排水補助溝(75)が形成されている。また、排水補助プレート(54)の上縁における第１および第２部材(50)(51)の固定用貫通穴(65)(73)と合致した位置に、上方に突出しかつ両固定用貫通穴(65)(73)に挿通される突起(76)が形成されている。
【００６３】
各キャップ(52)(53)はプレート状であり、両面にろう材層を有するアルミニウムブレージングシートにプレス加工を施すことにより形成されたものである。右側キャップ(52)の前側には、冷媒流入ヘッダ(9)内に嵌め入れられる左方突出部(77)が一体に形成され、同じく後側には、冷媒流出ヘッダ(11)の分流制御壁(67c)よりも上側の空間(11A)内に嵌め入れられる上側左方突出部(78)と、分流制御壁(67c)よりも下側の空間(11B)内に嵌め入れられる下側左方突出部(79)とが上下に間隔をおいて一体に形成されている。また、右側キャップ(52)の前後両側縁と下縁との間の円弧状部および上縁の前後両端寄りの部分に、それぞれ左方に突出した係合爪(81)が形成され、さらに上下両縁の前後方向中央部に、それぞれ右方に突出した係合爪(82)が形成されている。右側キャップ(52)の前側の左方突出部(77)の底壁および後側の下側左方突出部(79)の底壁に、それぞれ貫通穴(83)(84)が形成されている。前側の貫通穴(83)が冷媒流入ヘッダ(9)内を外部に通じさせ、後側の貫通穴(84)が冷媒流出ヘッダ(11)の分流制御壁(67c)よりも下側の空間(11B)内を外部に通じさせる。
【００６４】
左側キャップ(53)の前側には、冷媒流入ヘッダ(9)内に嵌め入れられる右方突出部(85)が一体に形成され、同じく後側には、冷媒流出ヘッダ(11)の分流制御壁(67c)よりも上側の空間(11A)内に嵌め入れられる上側右方突出部(86)と、分流制御壁(67c)よりも下側の空間(11B)内に嵌め入れられる下側右方突出部(87)とが上下に間隔をおいて一体に形成されている。また、左側キャップ(53)の前後両側縁と下縁との間の円弧状部および上縁の前後両端寄りの部分に、それぞれ右方に突出した係合爪(88)が一体に形成されている。右方突出部(85)および下側右方突出部(87)の底壁には貫通穴は形成されていない。
【００６５】
連通部材(55)はアルミニウムベア材にプレス加工を施すことにより形成されたものであり、右方から見て右側キャップ(52)と同形同大のプレート状であって、その周縁部が右側キャップ(52)の外面にろう付されている。連通部材(55)には、右側キャップ(52)の２つの貫通穴(83)(84)を通じさせるように外方膨出部(89)が形成されている。外方膨出部(89)の内部が、右側キャップ(52)の両貫通穴(83)(84)を通じさせる連通路(91)となっている。また、連通部材(55)の上下両縁における前後方向の中央部には、右側キャップ(52)の係合爪(82)が嵌る切り欠き(92)が形成されている。
【００６６】
冷媒ターン用タンク(3)の第１および第２部材(50)(51)と、排水補助プレート(54)と、両キャップ(52)(53)と、連通部材(55)とは次のようにしてろう付されている。すなわち、第１部材(50)と第２部材(51)とは、連結壁(58)(68)どうしが排水用貫通穴(64)(72)および固定用貫通穴(65)(73)が合致するように合わせられるとともに、両ヘッダ形成部(56)(57)の垂下壁(56d)(57d)下端と第１ヘッダ形成部(66)の前壁(66a)および第２ヘッダ形成部(67)の後壁(67a)上端とが係合させられ、排水補助プレート(54)の突起(76)が両部材(50)(51)の固定用貫通穴(65)(73)に挿通させられてかしめられることにより両部材(56)(57)が仮止めされた状態で、第１部材(50)のろう材層を利用して相互にろう付されている。排水補助プレート(54)は、第１部材(50)のろう材層を利用して両部材(50)(51)の連結壁(58)(68)にろう付されている。両キャップ(52)(53)は、前側の突出部(77)(85)が両部材(50)(51)の第１ヘッダ形成部(56)(66)により形成される空間内に、後側の上突出部(78)(86)が両部材(50)(51)の第２ヘッダ形成部(57)(67)により形成される空間における分流制御壁(67c)よりも上側の部分内に、後側の下突出部(79)(87)が両部材(50)(51)の第２ヘッダ形成部(57)(67)により形成される空間における分流制御壁(67c)よりも下側の部分内にそれぞれ嵌め入れられ、上側の係合爪(81)(88)が第１部材(50)に係合させられ、下側の係合爪(81)(88)が第２部材(51)に係合させられた状態で、各キャップ(52)(53)のろう材層を利用して第１および第２部材(50)(51)にろう付されている。連通部材(55)は、右側キャップ(52)の係合爪(82)が切り欠き(92)内に嵌るように連通部材(55)に係合させられた状態で、右側キャップ(52)のろう材層を利用して右側キャップ(52)にろう付されている。
【００６７】
こうして、冷媒ターン用タンク(3)が形成されており、両部材(50)(51)の第１ヘッダ形成部(56)(66)により冷媒流入ヘッダ(9)が形成され、同じく第２ヘッダ形成部(57)(67)により冷媒流出ヘッダ(11)が形成されている。冷媒流出ヘッダ(11)は分流制御壁(67c)により上下２つの空間(11A)(11B)に区画されており、これらの空間(11A)(11B)は円形冷媒通過穴(71)により連通させられている。右側キャップ(52)の後側貫通穴(84)は冷媒流出ヘッダ(11)の下部空間(11B)に通じている。そして、冷媒流入ヘッダ(9)内と冷媒流出ヘッダ(11)の下部空間(11B)内とが、右側キャップ(52)の貫通穴(83)(84)および連通部材(55)の外方膨出部(89)内の連通路(91)を介して連通させられている。また、両部材(50)(51)の連結壁(58)(68)により連結部(10)が形成され、冷媒流入ヘッダ(9)の第１の低位部(9b)と冷媒流出ヘッダ(11)の第１の低位部(11b)と連結部(10)とにより排水樋(20)が形成されている。
【００６８】
熱交換管(12)はアルミニウム押出形材で形成されたベア材からなり、前後方向に幅広の偏平状で、その内部に長さ方向に伸びる複数の冷媒通路(12a)が並列状に形成されている。熱交換管(12)の前後両端壁の外面の水平断面形状は、中央部が外方に突出した円弧状となっている（図８参照）。なお、以下の説明において、「円弧状」という用語は、厳密な意味での円の一部に限定されるものではなく、たとえばだ円の一部も含むものとする。前側の熱交換管(12)と後側の熱交換管(12)とは、左右方向の同一位置に来るように配置されており、熱交換管(12)の上端部は冷媒入出用タンク(2)の第１部材(16)の管挿通穴(23)に挿通されて第１部材(16)のろう材層を利用して第１部材(16)にろう付され、同じく下端部は冷媒ターン用タンク(3)の第１部材(50)の管挿通穴(59)に挿通されて第１部材(50)のろう材層を利用して第１部材(50)にろう付されている。そして、前側の熱交換管(12)が冷媒入口ヘッダ(5)および冷媒流入ヘッダ(9)に連通し、後側の熱交換管(12)が冷媒出口ヘッダ(6)および冷媒流出ヘッダ(11)に連通している。
【００６９】
ここで、熱交換管(12)の左右方向の厚みである管高さ(h)は０．７５〜１．５ｍｍ（図７参照）、前後方向の幅である管幅は１２〜１８ｍｍ、周壁の肉厚は０．１７５〜０．２７５ｍｍ、冷媒通路(12a)どうしを仕切る仕切壁の厚さは０．１７５〜０．２７５ｍｍ、仕切壁のピッチは０．５〜３．０ｍｍ、前後両端壁の外面の曲率半径は０．３５〜０．７５ｍｍであることが好ましい。
【００７０】
なお、熱交換管(12)としては、アルミニウム押出形材製のものに代えて、アルミニウム製電縫管の内部にインナーフィンを挿入することにより複数の冷媒通路を形成したものを用いてもよい。また、両面にろう材層を有するアルミニウムブレージングシートに圧延加工を施すことにより形成され、かつ連結部を介して連なった２つの平坦壁形成部と、各平坦壁形成部における連結部とは反対側の側縁より隆起状に一体成形された側壁形成部と、平坦壁形成部の幅方向に所定間隔をおいて両平坦壁形成部よりそれぞれ隆起状に一体成形された複数の仕切壁形成部とを備えた板を、連結部においてヘアピン状に曲げて側壁形成部どうしを突き合わせて相互にろう付し、仕切壁形成部により仕切壁を形成したものを用いてもよい。
【００７１】
コルゲートフィン(14)は両面にろう材層を有するアルミニウムブレージングシートを用いて波状に形成されたものであり、波頂部(14a)、波底部(14b)および波頂部(14a)と波底部(14b)とを連結する平坦な水平状連結部(14c)よりなり（図７参照）、連結部(14c)に複数のルーバが前後方向に並んで形成されている。コルゲートフィン(14)は、前後両熱交換管(12)に共有されており、その前後方向の幅は前側熱交換管(12)の前側縁と後側熱交換管(12)の後側縁との間隔をほぼ等しくなっている。そして、コルゲートフィン(14)の波頂部(14a)および波底部(14b)は、前後の熱交換管(12)にろう付されている。
【００７２】
ここで、コルゲートフィン(14)のフィン高さ(H)は波頂部(14a)と波底部(14b)との直線距離であり、フィン高さ(H)＝７．０ｍｍ〜１０．０ｍｍであることが好ましい。また、コルゲートフィン(14)のフィンピッチ(Pf)は隣り合う波頂部(14a)および波底部(14b)の上下方向の中央部間の間隔(P)の１／２、すなわち(Pf)＝P／２であり、フィンピッチ(Pf)＝１．３〜１．８ｍｍであることが好ましい。また、コルゲートフィン(14)の波頂部(14a)および波底部(14b)は、熱交換管(12)に面接触状にろう付された平坦部分と、平坦部分の両側に設けられかつ連結部(14c)に連なったアール状部分とよりなるが、アール状部分の曲率半径(R)は０．７ｍｍ以下であることが好ましい（図７参照）。
【００７３】
図８および図９に示すように、排水促進部材(30)は中空状であって、前後方向に若干幅広の偏平状となっており、その左右方向の厚みは熱交換管(12)の管高さ(h)である左右方向の厚みと等しくなっている。排水促進部材(30)の前後両面の水平断面形状は、中央部が前後方向外方に突出した円弧状となっている。排水促進部材(30)の前後両側縁と、前後両熱交換管(12)との間には隙間(70)が存在しており、これにより排水路(60)が形成されている。ここで、熱交換管(12)および排水促進部材(30)の左右方向の厚みをｈ（mm）、上記隙間(70)の最も幅狭部分の前後方向の幅、すなわち左右方向の中央部間の幅をｗ（mm）とした場合、０＜ｗ／ｈ≦１／４の関係を満たしていることが好ましい。ｗ／ｈ＞１／４の場合、凝縮水をキャピラリ効果により排水路(60)に引き寄せる効果、および凝縮水をキャピラリ効果により排水路(60)を通って下方に排水する効果が十分ではない場合がある。
【００７４】
エバポレータ(1)は、冷媒入口管(7)および冷媒出口管(8)を除く各構成部材を組み合わせて仮止めし、すべての構成部材を一括してろう付することにより製造される。
【００７５】
エバポレータ(1)は、圧縮機およびコンデンサとともにフロン系冷媒を使用する冷凍サイクルを構成し、カーエアコンとして車両、たとえば自動車に搭載される。
【００７６】
上述したエバポレータ(1)において、図１０に示すように、圧縮機、コンデンサおよび膨張弁を通過した気液混相の２相冷媒が、冷媒入口管(7)からジョイントプレート(21)の冷媒流入口(45)および右側キャップ(19)の冷媒入口(37)を通って冷媒入出用タンク(2)の冷媒入口ヘッダ(5)内に入り、分流して前側のすべての熱交換管(12)の冷媒通路(12a)内に流入する。
【００７７】
すべての熱交換管(12)の冷媒通路(12a)内に流入した冷媒は、冷媒通路(12a)内を下方に流れて冷媒ターン用タンク(3)の冷媒流入ヘッダ(9)内に入る。冷媒流入ヘッダ(9)内に入った冷媒は右方に流れ、右側キャップ(52)の前側貫通穴(83)、連通部材(55)の外方膨出部(89)内の連通路(91)および右側キャップ(52)の後側貫通穴(84)を通ることにより、流れ方向を変えるようにターンして冷媒流出ヘッダ(11)の下部空間(11B)内に入る。
【００７８】
そして、冷媒入口ヘッダ(5)から前側の熱交換管(12)への冷媒の分流が充分に均一化されていないことに起因して、前側の熱交換管(12)を流れる冷媒の温度（冷媒乾き度）の分布に偏りが生じていたとしても、冷媒流入ヘッダ(9)から冷媒流出ヘッダ(11)の下部空間(11B)内にターンして流入する際に冷媒が混合されることになり、その温度は全体に均一になる。
【００７９】
冷媒流出ヘッダ(11)の下部空間(11B)内に入った冷媒は左方に流れ、分流制御壁(67c)の円形冷媒通過穴(71)を通って上部空間(11A)内に入り、分流して後側のすべての熱交換管(12)の冷媒通路(12a)内に流入する。
【００８０】
熱交換管(12)の冷媒通路(12)内に流入した冷媒は、流れ方向を変えて冷媒通路(12a)内を上方に流れて冷媒出口ヘッダ(6)の下部空間(6b)内に入り、分流用抵抗板(29)の長円形冷媒通過穴(31A)(31B)を通って上部空間(6a)内に入る。ここで、分流用抵抗板(29)によって冷媒の流れに抵抗が付与されるので、冷媒流出ヘッダ(11)の上部空間(11A)から後側の熱交換管(12)への分流が均一化されるとともに、冷媒入口ヘッダ(5)から前側の熱交換管(12)への分流も一層均一化される。その結果、すべての熱交換管(12)の冷媒流通量が均一化され、熱交換コア部(4)全体の温度分布も均一化される。
【００８１】
ついで、冷媒出口ヘッダ(6)の上部空間(6a)内に入った冷媒は、右側キャップ(19)の冷媒出口(38)およびジョイントプレート(21)の冷媒流出口(46)を通り、冷媒出口管(8)に流出する。そして、冷媒が前側の熱交換管(12)の冷媒通路(12a)、および後側の熱交換管(12)の冷媒通路(12a)を流れる間に、通風間隙を図１および図１０に矢印Ｘで示す方向に流れる空気と熱交換をし、気相となって流出する。
【００８２】
このとき、熱交換管(12)およびコルゲートフィン(14)の表面、特にコルゲートフィン(14)の表面に多くの凝縮水が発生する。発生した凝縮水の大部分は、キャピラリ効果により熱交換管(12)とコルゲートフィン(14)の波頂部(14a)および波底部(14b)との接合部側に流れる。後側の熱交換管(12)とコルゲートフィン(14)との接合部に引き寄せられた凝縮水は、左右方向に隣り合う熱交換管(12)どうしの間の通風間隙を流れる風により前側に流れるとともに、キャピラリ効果により排水促進部材(30)側に引き寄せられ、排水路(60)内に入る。そして、キャピラリ効果により排水路(60)を通って下方に排水される。したがって、排水性が向上し、その結果凝縮水の凍結を抑制することが可能になり、エバポレータの冷却性能の低下を防止することができる。なお、前側の熱交換管(12)とコルゲートフィン(14)との接合部に引き寄せられた凝縮水は、左右方向に隣り合う熱交換管(12)どうしの間の通風間隙を流れる風により前側に流れ、前側熱交換管(12)の前端面に沿って下方に排水される。
【００８３】
排水路(60)を通って下方に排水された凝縮水は、冷媒ターン用タンク(3)の排水樋(20)内に入り、排水樋(20)内にある程度凝縮水が溜まると、排水用貫通穴(64)(72)を通って連結部(10)の下方に流出し、排水補助プレート(54)の切り欠き(74)の周縁部に沿って流れて排水補助溝(75)内に入り、排水補助溝(75)内を下方に流れてその下端開口から冷媒ターン用タンク(3)の下方へ落下する。前側熱交換管(12)の前端面に沿って下方に排水された凝縮水は、排水溝(63)内に入り、排水溝(63)内を流れてその下端開口、すなわち段差部(69)への開口から冷媒ターン用タンク(3)の下方へ落下する。こうして、発生した凝縮水が排水される。
【００８４】
以下、エバポレータの排水性を評価するために行った実験例について説明する。
【００８５】
実験例１
熱交換管(12)、排水促進部材(30)およびコルゲートフィン(14)が、上記実施形態の構成で、かつ冷媒入出用タンク(2)および冷媒ターン用タンク(3)が取り付けられていない試験体を用意した。熱交換管(12)および排水促進部材(30)の左右方向の厚みｈは１．４ｍｍ、熱交換管(12)と排水促進部材(30)との隙間(70)の前後方向の幅ｗは０．２５ｍｍ、排水促進部材(30)の前後方向の幅は３．５ｍｍ、コルゲートフィン(14)のフィン高さ(H)は８ｍｍ、フィンピッチ(P)は１．５ｍｍである。そして、熱交換管(12)および排水促進部材(30)の両端開口を密閉した。ついで、この試験体を水槽内の水に浸し、熱交換管(12)どうしの間やコルゲートフィン(14)の間に残存していた空気を除去した後３０分間放置した。ついで、試験体を垂直状態で吊り上げて水から出し、この状態で試験体の重量を１８００秒間測定することにより、排水性を評価した。
【００８６】
比較実験例１
前後の熱交換管(12)どうしの間に排水促進部材が配置されていないことを除いては、実験例１と同じ構成の試験体を用意し、実験例１と同様にして、排水性を評価した。
【００８７】
実験例１および比較実験例１の結果を図１１に示す。なお、図１１において、保水重量は、エバポレータを垂直状態で吊り上げて水から出した直後を１００％とした場合の比率を表す。保水重量が小さくなるということは、排水された水の量が多くなるということであり、排水性が向上していることになる。
【００８８】
実施形態２
この実施形態は図１２に示すものである。
【００８９】
実施形態２の場合、前後両熱交換管(12)の前後方向内側の端壁外面と排水促進部材(30)の前後両面とが接触している。そして、前後両熱交換管(12)と排水促進部材(30)との間に、熱交換管(12)の左右両側面の延長面から左右方向内方に凹みかつ上下方向に伸びる凹所(90)が形成され、この凹所(90)が排水路(80)となっている。ここで、排水路(80)の断面積（図１２にクロスハッチングを付した部分）をＳ（mm２）、熱交換管(12)および排水促進部材(30)の左右方向の厚みをｈ（mm）とした場合、０．０５≦Ｓ／ｈ≦１．５の関係を満たしていることが好ましい。Ｓ／ｈが上記範囲外の場合、凝縮水をキャピラリ効果により排水路(80)に引き寄せる効果、および凝縮水をキャピラリ効果により排水路(80)を通って下方に排水する効果が十分ではない場合がある。
【００９０】
その他の構成は実施形態１と同じである。
【００９１】
上記２つの実施形態においては、この発明によるエバポレータが、フロン系冷媒を使用するカーエアコンのエバポレータに適用されているが、これに限定されるものではなく、圧縮機、ガスクーラ、中間熱交換器、膨張弁およびエバポレータを有しかつＣＯ２冷媒のような超臨界冷媒を使用するカーエアコンを備えた車両、たとえば自動車において、カーエアコンのエバポレータに適用されることがある。
【００９２】
以下、熱交換管と排水促進部材の変形例について説明する。
【００９３】
図１３は、実施形態１の場合と同様に、熱交換管と排水促進部材との間に隙間(70)が存在し、この隙間(70)が排水路(60)となっている場合の変形例である。なお、この変形例の説明において、実施形態１と同じものには同じ符号を付して説明を省略する。
【００９４】
図１３(a)に示す変形例の場合、排水促進部材(30A)の前後両面は、熱交換管(12)の左右両側面と直角をなす平坦面となっている。
【００９５】
図１３(b)に示す変形例の場合、前側熱交換管(12A)の後端壁の外面および後側熱交換管(12A)の前端壁の外面は、それぞれ熱交換管(12A)の左右両側面と直角をなす平坦面となっている。
【００９６】
図１３(c)に示す変形例の場合、排水促進部材(30B)の前後両面の水平断面形状が、左右方向の中央部が前後方向外方に突出したＶ形となっている。
【００９７】
図１３(d)に示す変形例の場合、前側熱交換管(12B)の後端壁の外面の水平断面形状が、左右方向の中央部が後方に突出したＶ形となっており、後側熱交換管(12B)の前端壁の外面の水平断面形状が、左右方向の中央部が前方に突出したＶ形となっている。
【００９８】
図１３(e)に示す変形例の場合、排水促進部材(30B)は図１３(c)に示すものと同じであり、前後の熱交換管(12B)は図１３(d)に示すものと同じである。
【００９９】
図１３(f)に示す変形例の場合、排水促進部材(30A)は図１３(a)に示すものと同じであり、前後の熱交換管(12A)は図１３(b)に示すものと同じである。
【０１００】
図１３(g)に示す変形例の場合、排水促進部材(30B)は図１３(c)に示すものと同じでり、前後の熱交換管(12A)は図１３(b)に示すものと同じあでる。
【０１０１】
図１３(h)に示す変形例の場合、排水促進部材(30A)は図１３(a)に示すものと同じでり、前後の熱交換管(12B)は図１３(d)に示すものと同じである。
【０１０２】
図１３に示す変形例において、すべての排水促進部材(30)(30A)(30B)はアルミニウム製であって中空状である。また、熱交換管(12)(12A)(12B)の左右方向の厚みと排水促進部材(30)(30A)(30B)の左右方向の厚みとは等しくなっている。さらに、実施形態１で述べた条件、すなわち熱交換管(12)(12A)(12B)および排水促進部材(30)(30A)(30B)の左右方向の厚みをｈ（mm）、上記隙間の最も幅狭部分の前後方向の幅をｗ（mm）とした場合、０＜ｗ／ｈ≦１／４の関係を満たしていることが好ましい。
【０１０３】
図１４は、実施形態２の場合と同様に、熱交換管と排水促進部材とが接触しており、前後両熱交換管(12)と排水促進部材(30)との間に、熱交換管(12)の左右両側面の延長面から左右方向内方に凹みかつ上下方向に伸びる凹所(90)が形成され、この凹所(90)が排水路(80)となっている場合の変形例である。なお、この変形例の説明において、実施形態２と同じものには同じ符号を付して説明を省略する。
【０１０４】
図１４(a)に示す変形例の場合、排水促進部材(30A)の水平断面形状は図１３(a)に示すものと同一である。
【０１０５】
図１４(b)に示す変形例の場合、前後の熱交換管(12A)の水平断面形状は図１３(b)に示すものと同一である。
【０１０６】
図１４(c)に示す変形例の場合、排水促進部材(30B)の水平断面形状は図１３(c)に示すものと同一である。
【０１０７】
図１４(d)に示す変形例の場合、前後熱交換管(12B)の水平断面形状は図１３(d)に示すものと同一である。
【０１０８】
図１４(e)に示す変形例の場合、排水促進部材(30B)および前後の熱交換管(12B)の水平断面形状は図１３(e)に示すものと同一である。
【０１０９】
図１４(f)に示す変形例の場合、排水促進部材(30B)および前後の熱交換管(12A)の水平断面形状は図１３(g)に示すものと同一である。
【０１１０】
図１４(g)に示す変形例の場合、排水促進部材(30A)および前後の熱交換管(12B)の水平断面形状は図１３(h)に示すものと同一である。
【０１１１】
図１４に示す変形例において、すべての排水促進部材(30)(30A)(30B)はアルミニウム製であって中空状である。また、熱交換管(12)(12A)(12B)の左右方向の厚みと排水促進部材(30)(30A)(30B)の左右方向の厚みとは等しくなっている。さらに、実施形態２で述べた条件、すなわち排水路断面積をＳ（mm２）、熱交換管(12)および排水促進部材820)の左右方向の厚みをｈ（mm）とした場合、０．０５≦Ｓ／ｈ≦１．５の関係を満たしていることが好ましい。
【０１１２】
実施形態１および２、ならびに図１３〜図１４に示す変形例において、排水促進部材は中空状となっているが、これに限定されるものではなく、中実であってもよい。
【０１１３】
排水促進部材が中実の場合、その左右両側面のうち少なくともいずれか一面に、上下方向に伸びる排水溝が形成されていてもよい。その具体例を、図１５を参照して、説明する。
【０１１４】
図１５(a)の排水促進部材(300)の左右両側面には、それぞれ角溝からなる排水溝(400)が形成されている。
【０１１５】
図１５(b)の排水促進部材(300A)の左右両側面には、それぞれＶ溝からなる排水溝(400A)が形成されている。
【０１１６】
図１５(c)の排水促進部材(300B)の左右両側面には、それぞれ円弧溝からなる排水溝(400B)が形成されている。
【０１１７】
図１５(d)の排水促進部材(300C)の片面には、Ｕ溝からなる排水溝(400C)が形成されている。
【０１１８】
図１５(e)の排水促進部材(300D)の片面には、角溝からなる排水溝(400D)が形成されている。
【０１１９】
図１５(f)の排水促進部材(300E)の片面には、Ｖ溝からなる排水溝(400E)が形成されている。
【０１２０】
図１５(g)の排水促進部材(300F)の片面には、一方の側面が左右両側面と直角をなしている変形Ｖ溝からなる排水溝(400F)が形成されている。
【０１２１】
なお、図１５(a)〜(g)においては、排水促進部材の前後両面の水平断面形状が、左右方向の中央部が前後方向外方に突出した円弧状となっているが、これに限定されるものではなく、図１３(a)および(c)に示すような形状となっていてもよい。
【図面の簡単な説明】
【０１２２】
【図１】この発明による実施形態１のエバポレータの全体構成を示す一部切り欠き斜視図である。
【図２】図１に示すエバポレータを後方から見た際の中間部を省略した垂直断面図である。
【図３】図１に示すエバポレータの冷媒入出用タンクの部分の分解斜視図である。
【図４】一部を省略した図２のＡ−Ａ線拡大断面図である。
【図５】図１に示すエバポレータの冷媒ターン用タンクの部分の分解斜視図である。
【図６】図２のＢ−Ｂ線拡大断面図である。
【図７】図２の部分拡大図である。
【図８】図４の一部を省略したＣ−Ｃ線拡大断面図である。
【図９】図８の部分拡大図である。
【図１０】図１に示すエバポレータにおける冷媒の流れ方を示す図である。
【図１１】実験例１および比較実験例１の結果を示すグラフである。
【図１２】この発明による実施形態２のエバポレータを示す図９相当の図である。
【図１３】排水促進部材および熱交換管の変形例を示す水平断面図である。
【図１４】排水促進部材および熱交換管の他の変形例を示す水平断面図である。
【図１５】排水促進部材のさらに他の変形例を示す水平断面図である。
【符号の説明】
【０１２３】
(1)：エバポレータ
(4)：熱交換コア部
(5)：冷媒入口ヘッダ（第１ヘッダ）
(6)：冷媒出口ヘッダ（第２ヘッダ）
(9)：冷媒流入ヘッダ（第３ヘッダ）
(11)：冷媒流出ヘッダ（第４ヘッダ）
(12)(12A)(12B)：熱交換管
(13)：熱交換管群
(30)(30A)(30B)：排水促進部材
(60)：排水路
(70)：隙間
(80)：排水路
(90)：凹所
(300)(300A)(300B)(300C)(300D)(300E)(300F)：排水促進部材
(400)(400A)(400B)(400C)(400D)(400E)(400F)：排水溝
【図１】
2006207994.tif 000003
【図２】
2006207994.tif 000004
【図３】
2006207994.tif 000005
【図４】
2006207994.tif 000006
【図５】
2006207994.tif 000007
【図６】
2006207994.tif 000008
【図７】
2006207994.tif 000009
【図８】
2006207994.tif 000010
【図９】
2006207994.tif 000011
【図１０】
2006207994.tif 000012
【図１１】
2006207994.tif 000013
【図１２】
2006207994.tif 000014
【図１３】
2006207994.tif 000015
【図１４】
2006207994.tif 000016
【図１５】
2006207994.tif 000017